(57)【要約】【課題】発光パネルを光源に用いた照明装置において、発光パネルの交換作業のさらなる効率化を図ることが可能な構造を備える照明装置を提供する。【解決手段】発光シート１１０Ａと、この発光シート１１０Ａを内部に収容する発光シート格納部１３０とを有している。この発光シート格納部１３０は、発光シート１１０Ａを外部に引き出す細長の開口部１３１が設けられている。開口部１３１の両側の縁部には発光シート１３０に設けられる受電電極に接するプラス側の供電電極１５０およびマイナス側の供電電極１７０が配置されている。【選択図】図７
2012099262.tif 000002
【特許請求の範囲】
【請求項１】
受電電極を有するとともに、複数の発光面を有する発光シートと、
前記発光シートを内部に収容するとともに、前記発光シートを外部に引き出す開口部が設けられ、前記開口部の縁部には前記発光シートの前記受電電極に接する供電電極が配置される、発光シート格納部と、
前記開口部から引き出された前記発光シートの前記発光面への電流流れを制御する電流供給制御部と、
を備える、照明装置。
【請求項２】
前記電流供給制御部により、前記開口部から引き出された前記発光シートの前記発光面のうち、選択された発光面にのみ電流が流れる、請求項１に記載の照明装置。
【請求項３】
前記開口部の縁部には、前記発光シートを支持する支持部材が設けられている、請求項１または２に記載の照明装置。
【請求項４】
前記支持部材に、前記供電電極が配置される、請求項３に記載の照明装置。
【請求項５】
前記発光シート格納部の内部には、前記発光シートを前記開口部から外部へ送り出す機構が設けられる、請求項１から４のいずれかに記載に照明装置。
【請求項６】
前記発光シート格納部の内部には、前記発光シートを前記開口部から内部へ戻す機構が設けられる、請求項１から５のいずれかに記載に照明装置。
【請求項７】
前記発光シートは、複数の前記発光面に対して共通に設けられた第１受電電極と、複数の前記発光面のそれぞれに設けられた第２受電電極と、有し、
前記電流供給制御部は、それぞれの前記第２受電電極の間に設けられた整流子を有する、請求項１から６のいずれかに記載の照明装置。
【請求項８】
前記電流供給制御部は、
複数の前記発光面のそれぞれに設けられた制御素子と、
前記制御素子に対して、選択された前記発光面を発光させる信号を与える制御部と、
を有する、請求項１から６のいずれかに記載の照明装置。
【請求項９】
前記発光シートは、前記発光シート格納部の内部に収容される、連続した１枚のシート状形態を有する、請求項１から８のいずれかに記載の照明装置。
【請求項１０】
前記発光シートは、前記発光シート格納部の内部に、ロール状に巻回されて収納されている、請求項９に記載の照明装置。
【請求項１１】
前記発光シート格納部の内部に、蛇腹状に折り畳んで収納されている、請求項９に記載の照明装置。
【請求項１２】
前記発光シート格納部は、前記開口部から露出した前記発光シートを前記発光シート格納部の内部に収容されている前記発光シートから除去するための除去部材を有する、請求項９から１１のいずれかに記載の照明装置。
【請求項１３】
前記発光シートは、複数の前記発光面の間にミシン目を有する、請求項９から１２のいずれかに記載の照明装置。
【請求項１４】
前記発光シートは、前記発光シート格納部の内部に、複数枚収容され、
前記発光シートを前記開口部から１枚引き出すと、その発光シートの後ろ端部から、次の前記発光シートが１枚引き出される、請求項１から８のいずれかに記載の照明装置。
【発明の詳細な説明】
【技術分野】
【０００１】
本発明は発光シートを用いた照明装置に関する。
【背景技術】
【０００２】
新たな照明装置として面発光素子を用いた装置が、下記特許文献１から５に開示されている。特許文献１には、発光パネルの交換の作業性を向上させる構造を備える発光パネル式照明器具が開示されている。特許文献２には、ユーザが取り扱いやすく、安全にパネル交換できる照明装置の構造が開示されている。特許文献３には、面発光光源の着脱によって電極薄膜を傷付けることを防止することができる構造を備える照明装置の構造が開示されている。特許文献４には、面発光素子を所定の形状に成形して装飾的効果を高める照明装置の構造が開示されている。特許文献５には、巻き取り式の面発光素子を用いた照明装置の構造が開示されている。
【先行技術文献】
【特許文献】
【０００３】
【特許文献１】特開２００７−２５０３０３号公報
【特許文献２】特開２００７−００５２２６号公報
【特許文献３】特開２００６−３３１８５６号公報
【特許文献４】特開２００９−１４０９８７号公報
【特許文献５】特開２００９−１７６６３３号公報
【発明の概要】
【発明が解決しようとする課題】
【０００４】
ここで、発光シートを光源に用いた照明装置において、発光により徐々に明度が低下し所定の期間（たとえば、数千時間）が過ぎると初期の半分以下の明度となる。このような発光シートの寿命・性能劣化や破損などを原因として、発光シートの交換作業が必要となる。
【０００５】
本発明の目的は、発光シートを光源に用いた照明装置において、発光シートの交換作業のさらなる効率化を図ることが可能な構造を備える照明装置を提供することにある。
【課題を解決するための手段】
【０００６】
この発明に基づいた照明装置においては、受電電極を有するとともに、複数の発光面を有する発光シートと、上記発光シートを内部に収容するとともに、上記発光シートを外部に引き出す開口部が設けられ、上記開口部の縁部には上記発光シートの上記受電電極に接する供電電極が配置される、発光シート格納部と、上記開口部から引き出された上記発光シートの上記発光面への電流流れを制御する電流供給制御部とを備える。
【０００７】
他の形態では、上記電流供給制御部により、上記開口部から引き出された上記発光シートの上記発光面のうち、選択された発光面にのみ電流が流れる。
【０００８】
他の形態では、上記開口部の縁部には、上記発光シートを支持する支持部材が設けられている。
【０００９】
他の形態では、上記支持部材に、上記供電電極が配置される。
他の形態では、上記発光シート格納部の内部には、上記発光シートを上記開口部から外部へ送り出す機構が設けられる。
【００１０】
他の形態では、上記発光シート格納部の内部には、上記発光シートを上記開口部から内部へ戻す機構が設けられる。
【００１１】
他の形態では、上記発光シートは、複数の上記発光面に対して共通に設けられた第１受電電極と、複数の上記発光面のそれぞれに設けられた第２受電電極と有し、上記電流供給制御部は、それぞれの上記第２受電電極の間に設けられた整流子を有する。
【００１２】
他の形態では、上記電流供給制御部は、複数の上記発光面のそれぞれに設けられた制御素子と、上記制御素子に対して、選択された上記発光面を発光させる信号を与える制御部とを有する。
【００１３】
他の形態では、上記発光シートは、上記発光シート格納部の内部に収容される、連続した１枚のシート状形態を有する。
【００１４】
他の形態では、上記発光シートは、上記発光シート格納部の内部に、ロール状に巻回されて収納されている。
【００１５】
他の形態では、上記発光シート格納部の内部に、蛇腹状に折り畳んで収納されている。
他の形態では、上記発光シート格納部は、上記開口部から露出した上記発光シートを上記発光シート格納部の内部に収容されている上記発光シートから除去するための除去部材を有する。
【００１６】
他の形態では、上記発光シートは、複数の上記発光面の間にミシン目を有する。
他の形態では、上記発光シートは、上記発光シート格納部の内部に、複数枚収容され、上記発光シートを上記開口部から１枚引き出すと、その発光シートの後ろ端部から、次の上記発光シートが１枚引き出される。
【発明の効果】
【００１７】
この発明に基づいた照明装置によれば、発光シートを光源に用いた照明装置において、発光シートの交換作業のさらなる効率化を図ることを可能とする。
【図面の簡単な説明】
【００１８】
【図１】各実施の形態の照明装置に用いられる発光シートの基本構造を示す発光面側から見た斜視図である。
【図２】各実施の形態の照明装置に用いられる発光シートの構造を示す発光面側から見た平面図である。
【図３】図２中ＩＩＩ−ＩＩＩ線矢視断面図である。
【図４】図２中ＩＶ−ＩＶ線矢視断面図である。
【図５】図２中Ｖ−Ｖ線矢視断面図である。
【図６】図５中のＶＩで囲まれた領域の部分拡大断面図である。
【図７】実施の形態１における照明装置の外観を示す斜視図である。
【図８】実施の形態１における照明装置の外観を示す平面図である。
【図９】実施の形態１における照明装置に用いる発光シートの発光面構造を示す図である。
【図１０】図８中Ｘ−Ｘ線矢視断面図である。
【図１１】実施の形態１における発光シート格納部の内部での発光シートの格納状態を示す図である。
【図１２】実施の形態１における発光シート格納部の内部での発光シートの他の格納状態を示す図である。
【図１３】実施の形態１における発光シート格納部の内部での発光シートのさらに他の格納状態を示す図である。
【図１４】実施の形態１における発光シートに設けられるミシン目を示す図である。
【図１５】実施の形態１における発光シート格納部の内部での発光シートのさらに他の格納状態を示す図である。
【図１６】実施の形態２における照明装置の外観を示す斜視図である。
【図１７】実施の形態２における照明装置に用いる発光シートの発光面構造を示す図である。
【図１８】図１６中ＸＶＩＩＩ−ＸＶＩＩＩ線矢視断面図である。
【図１９】実施の形態３における照明装置の外観を示す斜視図である。
【図２０】実施の形態３における照明装置に用いる発光シートの発光面構造を示す図である。
【図２１】図１９中ＸＸＩ−ＸＸＩ線矢視断面図である。
【図２２】実施の形態１−３の照明装置の使用形態を示す図である。
【図２３】実施の形態１−３の照明装置の他の使用形態を示す図である。
【図２４】実施の形態４における照明装置の外観を示す第１斜視図である。
【図２５】実施の形態４における照明装置の外観を示す第２斜視図である。
【図２６】実施の形態５における照明装置の外観を示す斜視図である。
【図２７】図２６中のＸＸＶＩＩ線矢視断面図である。
【図２８】実施の形態５における照明装置の他の外観を示す斜視図である。
【図２９】実施の形態５における照明装置のさらに他の外観を示す斜視図である。
【図３０】実施の形態６における照明装置の外観を示す斜視図である。
【図３１】実施の形態６における照明装置の制御フローを示すブロック図である。
【図３２】実施の形態６における照明装置の他の外観を示す斜視図である。
【図３３】実施の形態６における照明装置の他の制御フローを示すブロック図である。
【図３４】実施の形態７における照明装置の内部構造を示す断面図である。
【図３５】実施の形態７における他の照明装置の内部構造を示す断面図である。
【発明を実施するための形態】
【００１９】
本発明に基づいた各実施の形態における照明装置について、以下、図を参照しながら説明する。なお、以下に説明する実施の形態において、個数、量などに言及する場合、特に記載がある場合を除き、本発明の範囲は必ずしもその個数、量などに限定されない。また、同一の部品、相当部品に対しては、同一の参照番号を付し、重複する説明は繰り返さない場合がある。また、各実施の形態における構成を適宜組み合わせて用いることは当初から予定されていることである。
【００２０】
本実施の形態における発光シートは、一例として、厚さが約０．２ｍｍ〜約０．５ｍｍに対して、長手方向の幅が約５ｃｍ〜約２０ｃｍ、長さは、各実施の形態によって異なるが、５ｃｍ〜数十ｍである。この寸法関係を維持したまま図示した場合には、発光パネルの構造を明確に示すことはできない。そこで、以下に示す各実施の形態における照明装置および発光パネルパックの図示においては、構造の理解のために寸法関係は、発光パネルの厚み方向を拡大して図示している。
【００２１】
（発光シートの基本構造）
図１から図６を参照して、以下に説明する各実施の形態の照明装置に用いられる発光シート１００の構造について説明する。なお、図１は発光シート１００の発光面側から見た斜視図、図２は発光シート１００の発光面側から見た平面図、図３は図２中ＩＩＩ−ＩＩＩ線矢視断面図、図４は図２中ＩＶ−ＩＶ線矢視断面図、図５は図２中Ｖ−Ｖ線矢視断面図、図６は図５中のＶＩで囲まれた領域の部分拡大断面図である。
【００２２】
図１および図２を参照して、この発光シート１００は、平面視において長方形形状を有し、主面１００ａ側の中央領域に発光面１０５ａを有し、主面１００ａ側の周縁部に受電電極１０３，１０４が設けられている。発光シート１００の形状は、長方形形状に限定されるものではなく、正方形形状、多角形形状、円形形状等の様々な形状の選択が可能である。また、以下に示す各実施の形態において示すように、一つの発光面だけでなく、複数の発光面が設けられる。
【００２３】
この発光シート１００は、受電電極１０３と受電電極１０４との間に直流電流（例えば、１５Ｖ程度）を流すことにより発光面１０５ａが発光する。受電電極１０３，１０４の位置は、主面１００ａ側の周縁部に設けられれば、特に限定されるものではない。
【００２４】
図３から図５を参照して、この発光シート１００は、発光層１０１、受電電極１０３をその一部とし、発光層１０１の一方面側に位置する導電体１０２、受電電極１０４と電気的に接続され、発光層１０１の他方面側（発光面側）に位置する透明導電体１０５、および、ガラスやプラスチックフィルムを用いた透明基板１０６とを有している。上記したように、本実施の形態の形態における発光シート１００は、厚さ（ｈ１）が約０．２ｍｍ〜約０．５ｍｍである。
【００２５】
図６に受電電極１０４付近の部分拡大断面図を示す。発光層１０１を導電体１０２と透明導電体１０５とにより挟み込む。透明導電体１０５と導電体１０２との間には絶縁層１０７が設けられている。透明導電体１０５は、傷つき易い導電性樹脂が用いられているため、この透明導電体１０５を保護する目的で、金属からなる受電電極１０４が、透明導電体１０５の表面に接続・被覆されている。図では省略しているが、導電体１０２と透明導電体１０５との対向面には、絶縁分離のために絶縁層１０７が設けられている。
【００２６】
受電電極１０３，１０４の表面は、透明基板１０６の厚み分だけ発光シート１００の主面１００ａから窪む凹部領域を有している。透明基板１０６の厚み（ｔ）は、約０．１ｍｍ〜約０．３ｍｍ程度である。また、受電電極１０３，１０４の平面視における大きさは、一辺の長さが約３ｍｍ〜５ｍｍ程度の矩形形状である。
【００２７】
本実施の形態の発光シート１００は、有機ＥＬ(Electro-Luminescence)を発光層１０１に用いており、導電体１０２にマイナス電位を印加し、透明導電体１０５にプラス電位を印加すると、導電体１０２で生じた自由電子と透明導電体１０５で生じた正孔とが発光層１０１で結合して、この発光層１０１の有機物が励起状態になり、元の安定状態に戻るときに発光する。
【００２８】
なお、発光シート１００の一例として有機ＥＬを用いた発光シートについて説明したが、同等の性能を有する面発光シートであれば、有機ＥＬに限定されず、無機ＥＬ、面発光レーザ、面発光ＬＥＤ等を用いた面発光シートの採用も可能である。
【００２９】
（実施の形態１：照明装置１０００）
次に、図７から図１０を参照して、本実施の形態における照明装置１０００について説明する。なお、図７は、照明装置１０００の外観を示す斜視図、図８は、照明装置１０００の外観を示す平面図、図９は、照明装置に用いる発光シート１１０Ａの発光面構造を示す図、図１０は、図８中Ｘ−Ｘ線矢視断面図である。
【００３０】
図７を参照して、本実施の形態における照明装置１０００は、発光シート１１０Ａと、この発光シート１１０Ａを内部に収容する発光シート格納部１３０とを有している。この発光シート格納部１３０は、箱型の形状を有し、天面には、発光シート１１０Ａを外部に引き出す細長の開口部１３１が設けられている。また、開口部１３１の両側の縁部には発光シート１１０Ａに設けられる受電電極（後述）に接するプラス側の供電電極１５０およびマイナス側の供電電極１７０が配置されている。
【００３１】
なお、発光シート格納部１３０のいずれかの側面には、発光シート１１０Ａの点灯をＯＮ／ＯＦＦするためのスイッチ、および、発光シート１１０Ａの収容口が設けられているが、ここでの図示は省略する。
【００３２】
図８を参照して、供電電極１５０は、発光シート１１０Ａの一方の端部を挟み込むように接触電極１５１と、この接触電極１５１に対して対向配置される弾性部材１５３と有している。同様に、供電電極１７０も、発光シート１１０Ａの他方の端部を挟み込むように接触電極１７１と、この接触電極１７１に対して対向配置される弾性部材１７３と有している。
【００３３】
図９を参照して、本実施の形態における発光シート１１０Ａは、複数の長方形形状の発光面１１１ａ〜１１１ｅを有している。複数の発光面１１１ａ〜１１１ｅは、発光シート１１０Ａの一方の側面において、これらの発光面１１１ａ〜１１１ｅに対して共通に設けられたマイナス側の第１受電電極１１３と、発光シート１１０Ａの他方の側面において、複数の発光面１１１ａ〜１１１ｅのそれぞれに設けられたプラス側の第２受電電極１１５ａ，１１５ｂ，１１５ｃ，１１５ｄ，１１５ｅとを有している。
【００３４】
また、発光面１１１ａの第２受電電極１１５ａと発光面１１１ｂの第２受電電極１１５ｂとの間には、発光面１１１ｂ側から発光面１１１ａ側にのみ電流を流す整流子としてのダイオード１１７ａが設けられている。同様に、第２受電電極１１５ｂと第２受電電極１１５ｃとの間には、ダイオード１１７ｂが設けられ、第２受電電極１１５ｃと第２受電電極１１５ｄとの間には、ダイオード１１７ｃが設けられ、第２受電電極１１５ｄと第２受電電極１１５ｅとの間には、ダイオード１１７ｄが設けられている。本実施の形態では、ダイオード１１７ａ〜１１７ｄが、開口部１３１から引き出された発光シート１１０Ａの発光面１１１ａ〜１１１ｅへの電流流れを制御する電流供給制御部を構成する。
【００３５】
（作用・効果）
本実施の形態における照明装置１０００によれば、図１０に示すように、発光シート１１０Ａを開口部１３１から引き出した場合には、供電電極１７０に接する第２受電電極よりも引き出された第２受電電極と第１受電電極との間にのみ電流が流れる。図１０においては、発光面１１１ａ，１１１ｂ，１１１ｃにのみ電流が流れ発光するが、発光面１１１ｄ，１１１ｅには電流が流れず発光しない。
【００３６】
このように、発光シート格納部１３０から引き出された、発光に必要な領域（発光面）のみを発光させることができる。また、引き出された領域の発光面が劣化した場合には、新たな発光面を引き出すことにより発光準備が整い、照明装置としての機能を容易に維持させることができる。
【００３７】
このようにして、発光シート１１０Ａを光源に用いた照明装置において、発光シート１１０Ａの交換作業のさらなる効率化を図ることが可能となる。
【００３８】
（発光シート１１０Ａの収容形態）
ここで、図１１から図１５を参照して、発光シート格納部１３０の内部への発光シート１１０Ａの収容形態について説明する。図１１は、発光シート１１０Ａの先端部１１０Ｘと後端部１１０Ｙとにそれぞれ鉤状部を設け、前に引き出される発光シート１１０Ａの後端部１１０Ｙの鉤状部と、次に引き出される発光シート１１０Ａの先端部１１０Ｘの鉤状部とが、引き出し時に相互に係合するように、複数の発光シート１１０Ａが折り畳まれて発光シート格納部１３０の内部に収容されている。
【００３９】
これにより、発光シート１１０Ａを開口部１３１から１枚引き出すと、その発光シート１１０Ａの後端部から、次の発光シート１１０Ａが１枚引き出されることになる。なお、鉤状部に代わり、容易に剥がれるようなのり代を設ける方法の採用も可能である。
【００４０】
図１２には、発光シート１１０Ａが、発光シート格納部１３０の内部に、蛇腹状に折り畳んで収納されている状態を示している。図１３には、発光シート１１０Ａが、発光シート格納部１３０の内部に、ロール状に巻回されて収納された状態を示している。
【００４１】
また、発光シート１１０Ａにおいて不要となった発光面を容易に除去する（切り離す）ことができる構成を採用していることが好ましい。たとえば、図７および図８の中に示したカッタ１９０を用いて、開口部１３１から露出した発光シートを、発光シート格納部１３０の内部に収容されている発光シートから除去することができる。
【００４２】
また、図１４に示すように、発光面と発光面との間にミシン目１２３を予め設けておくことで、容易に発光面と発光面との間を切り離すことができる。この場合に、ミシン目１２３から、これから使用される発光面（発光面１１１ａを切り取る場合には、発光面１１１ｂ）への裂け目が広がるのを防止するために、絶縁体領域１２１を設けておくことが好ましい。これにより、ミシン目１２３に沿って、確実に発光面と発光面との間を切り離すことができる。
【００４３】
また、図１５に示すように、発光シート格納部１３０の内部に収容された発光シート１１０Ａを取り出し易くするために、発光シート格納部１３０の内部において発光シート１１０Ａをプレート１２５上に載置し、このプレート１２５の下に弾性部材としてばね１２７を配置する構成を採用しても良い。発光シート格納部１３０の内部に残された発光シート１１０Ａの残量に応じて、発光シート１１０Ａを開口部１３１側に持ち上げることができるように、ばね１２７のばね定数を設置する。
【００４４】
（実施の形態２：照明装置２０００）
次に、図１６から図１８を参照して、本実施の形態における照明装置２０００について説明する。なお、図１６は、照明装置２０００の外観を示す斜視図、図１７は、照明装置２０００に用いる発光シート２１０Ａの発光面構造を示す図、図１８は、図１６中ＸＶＩＩＩ−ＸＶＩＩＩ線矢視断面図である。
【００４５】
図１６を参照して、本実施の形態における照明装置２０００は、発光シート２１０Ａと、この発光シート２１０Ａを内部に収容する発光シート格納部２３０とを有している。この発光シート格納部２３０は、箱型の形状を有し、天面には、発光シート２１０Ａを外部に引き出す細長の開口部２３１が設けられている。また、開口部２３１の両側の縁部には発光シート２１０Ａに設けられる受電電極（後述）に接するプラス側の供電電極２５０およびマイナス側の供電電極２７０が配置されている。
【００４６】
なお、発光シート格納部２３０のいずれかの側面には、発光シート２１０Ａの点灯をＯＮ／ＯＦＦするためのスイッチ、および、発光シート２１０Ａの収容口が設けられているが、ここでの図示は省略する。
【００４７】
また、本実施の形態における供電電極２５０および供電電極２７０は、上方に延びる支柱形状を有し、発光シート２１０Ａを両側から支持している。供電電極２５０および供電電極２７０の基本的構造は、実施の形態１における供電電極１５０および供電電極１７０と同じである（図３参照）。
【００４８】
図１７を参照して、本実施の形態における発光シート２１０Ａは、複数の長方形形状の発光面２１１ａ〜２１１ｅを有している。複数の発光面２１１ａ〜２１１ｅは、発光シート２１０Ａの一方の側面において、複数の発光面２１１ａ〜２１１ｅのそれぞれに設けられた、マイナス側の第１受電電極２１３ａ，２１３ｂ，２１３ｃ，２１３ｄ，２１３ｅを有している。また、発光シート２１０Ａの他方の側面において、複数の発光面２１１ａ〜２１１ｅのそれぞれに設けられたプラス側の第２受電電極２１５ａ，２１５ｂ，２１５ｃ，２１５ｄ，２１５ｅを有している。
【００４９】
本実施の形態では、供電電極２５０、供電電極２７０、第１受電電極２１３ａ〜２１３ｅ、および、第２受電電極２１５ａ〜２１５ｅにより、発光手段を構成する。
【００５０】
（作用・効果）
本実施の形態における照明装置２０００によれば、図１８に示すように、発光シート２１０Ａを開口部２３１から引き出した場合には、供電電極２５０，２７０に接する、第２受電電極と第１受電電極との間にのみ電流が流れる。図１８においては、発光面２１１ａ，２１１ｂ，２１１ｃにのみ電流が流れ発光するが、発光面２１１ｄ，２１１ｅには電流が流れず発光しない。
【００５１】
このように、発光シート格納部２３０から引き出された、発光に必要な領域（発光面）のみを発光させることができる。また、引き出された領域の発光面が劣化した場合には、新たな発光面を引き出すことにより発光準備が整い、照明装置としての機能を容易に維持させることができる。
【００５２】
また、供電電極２５０および供電電極２７０は上方に延びる支柱形状を有していることから、引き出された発光シート２１０Ａは板状に保持されることが可能となる。
【００５３】
このようにして、発光シート２１０Ａを光源に用いた照明装置において、発光シート２１０Ａの交換作業のさらなる効率化を図ることが可能となる。
【００５４】
なお、発光シート格納部２３０の内部への発光シート２１０Ａの収容形態については、実施の形態１の図１１〜図１５に示した形態と同様であるため、ここでの説明は省略する。
【００５５】
（実施の形態３：照明装置３０００）
次に、図１９から図２１を参照して、本実施の形態における照明装置３０００について説明する。なお、図１９は、照明装置３０００の外観を示す斜視図、図２０は、照明装置３０００に用いる発光シート３１０Ａの発光面構造を示す図、図２１は、図１９中ＸＸＩ−ＸＸＩ線矢視断面図である。
【００５６】
図１９を参照して、本実施の形態における照明装置３０００は、発光シート３１０Ａと、この発光シート３１０Ａを内部に収容する発光シート格納部３３０とを有している。この発光シート格納部３３０は、箱型の形状を有し、天面には、発光シート３１０Ａを外部に引き出す細長の開口部３３１が設けられている。また、開口部３３１の両側の縁部には発光シート３１０Ａに設けられる受電電極（後述）に接するプラス側の供電電極３５０およびマイナス側の供電電極３７０が配置されている。
【００５７】
なお、発光シート格納部３３０のいずれかの側面には、発光シート３１０Ａの点灯をＯＮ／ＯＦＦするためのスイッチ、および、発光シート３１０Ａの収容口が設けられているが、ここでの図示は省略する。
【００５８】
また、本実施の形態における供電電極３５０および供電電極３７０は、実施の形態２の場合と同様に、上方に延びる支柱形状を有し、発光シート３１０Ａを両側から支持している。供電電極３５０および供電電極３７０の基本的構造は、実施の形態１における供電電極１５０および供電電極１７０と同じである（図３参照）。
【００５９】
図２０を参照して、本実施の形態における発光シート３１０Ａは、複数の長方形形状の発光面３１１ａ〜３１１ｅを有している。複数の発光面３１１ａ〜３１１ｅは、発光シート３１０Ａの一方の側面において、複数の発光面３１１ａ〜３１１ｅのそれぞれに設けられた、マイナス側の第１受電電極３１３ａ，３１３ｂ，３１３ｃ，３１３ｄ，３１３ｅを有している。
【００６０】
また、発光シート３１０Ａの他方の側面において、複数の発光面３１１ａ〜３１１ｅのそれぞれには、電流の流れのＯＮ／ＯＦＦを制御するためのスイッチング素子３１７ａ，３１７ｂ，３１７ｃ，３１７ｄ，３１７ｅが接続されている。また、それぞれのスイッチング素子３１７ａ〜３１７ｅには、プラス側の第２受電電極３１５ａ，３１５ｂ，３１５ｃ，３１５ｄ，３１５ｅが連結されている。また、スイッチング素子３１７ａ〜３１７ｅには、各スイッチング素子３１７ａ〜３１７ｅのＯＮ／ＯＦＦの制御信号を出力するための制御部６２１が接続されている。
【００６１】
本実施の形態では、スイッチング素子３１７ａ〜３１７ｅおよび制御部６２１が電流供給制御部を構成する。
【００６２】
本実施の形態における照明装置３０００によれば、図２１に示すように、発光シート３１０Ａを開口部３３１から引き出した場合には、供電電極３５０，３７０に接する、第２受電電極と第１受電電極との間にのみ電流が流れることが可能となる。さらに、制御部６２１によって、発光させるべき発光面が選択される。図２１においては、発光可能な発光面３１１ａ〜３１１ｃのうち、発光面３１１ａ、３１１ｃが選択的に発光し、発光面３１１ｂは、選択的に発光が制限されている。
【００６３】
（作用・効果）
このように、発光シート格納部３３０から引き出された、選択された発光面のみを発光させることができる。これにより、発光シート３１０Ａにおける照度の調整を行なうことが可能となる。また、ユーザの用途に応じた調光が可能となり、照明装置３０００のデザイン性を向上させることも可能となる。また、引き出された領域の発光面が劣化した場合には、新たな発光面を引き出すことにより発光準備が整い、照明装置としての機能を容易に維持させることができる。
【００６４】
また、供電電極３５０および供電電極３７０は上方に延びる支柱形状を有していることから、引き出された発光シート３１０Ａは板状に保持されることが可能となる。
【００６５】
このようにして、発光シート３１０Ａを光源に用いた照明装置において、発光シート３１０Ａの交換作業のさらなる効率化を図ることが可能となる。
【００６６】
なお、発光シート格納部３３０の内部への発光シート３１０Ａの収容形態については、実施の形態１の図１１〜図１５に示した形態と同様であるため、ここでの説明は省略する。
【００６７】
（実施の形態１〜３の照明装置の使用例について）
次に、図２２および図２３を参照して、実施の形態１〜３の照明装置１０００〜３０００の使用例について説明する。なお、ここでは、実施の形態１の照明装置１０００の使用例を一例として図示する。
【００６８】
図２２は、照明装置１０００を天井１に固定し、発光シート１１０Ａを吊り下げるようにしたものである。図２３は、照明装置１０００を壁面３に固定し、発光シート１１０Ａを吊り下げるようにしたものである。実施の形態２の照明装置２０００および実施の形態３の照明装置３０００においても同様の使用形態を採用することが可能である。
【００６９】
（実施の形態４：照明装置４０００）
次に、図２４および図２５を参照して、本実施の形態における照明装置４０００について説明する。なお、図２４および図２５は、照明装置４０００の外観を示す第１および第２斜視図である。
【００７０】
図２４を参照して、本実施の形態における照明装置４０００は、発光シート４１０Ａと、この発光シート４１０Ａを内部に収容する発光シート格納部４３０とを有している。この発光シート格納部４３０は、円筒形状を有し、側面には、発光シート４１０Ａを外部に引き出す細長の開口部４３１が設けられている。また、開口部４３１の両側の縁部には発光シート４１０Ａに設けられる受電電極に接するプラス側の供電電極４５０およびマイナス側の供電電極４７０が配置されている。
【００７１】
なお、発光シート格納部４３０のいずれかの側面には、発光シート４１０Ａの点灯をＯＮ／ＯＦＦするためのスイッチ、および、発光シート４１０Ａの収容口が設けられているが、ここでの図示は省略する。また、本実施の形態における供電電極４５０および供電電極４７０は、実施の形態１における供電電極１５０および供電電極１７０と同じである（図３参照）。さらに、本実施の形態における発光シート４１０Ａは、実施の形態１〜３に示した発光シート１１０Ａ〜３１０Ａの採用が可能であるため、ここでの説明は省略する。
【００７２】
発光シート格納部４３０の供電電極４５０および供電電極４７０の近傍領域には、引き出した発光シート４１０Ａの先端部分を固定するためのクリップ４９０が、発光シート格納部４３０の表面から一定距離を隔てて配置されている。
【００７３】
図２５を参照して、上記構成を有する照明装置４０００において、円筒形状を有する発光シート格納部４３０の周囲を取り囲むように、開口部４３１から発光シート４１０Ａを引き出し、発光シート４１０Ａの先端部分を、クリップ４９０に固定する。これにより、照明装置４０００の外観上の形態が円筒状のランプシェードとなる。
【００７４】
（作用・効果）
本実施の形態における照明装置４０００によれば、実施の形態１から３に示す照明装置と同様の作用効果が得られるとともに、デザイン性を向上させることが可能となる。
【００７５】
（実施の形態５：照明装置５０００，５１００，５２００）
次に、図２６から図２９を参照して、本実施の形態における照明装置５０００，５１００，５２００について説明する。なお、図２６は照明装置５０００の外観を示す斜視図、図２７は図２６中のＸＸＶＩＩ線矢視断面図、図２８は、照明装置５１００の外観を示す斜視図、図２９は、照明装置５２００の外観を示す斜視図である。
【００７６】
図２６を参照して、本実施の形態における照明装置５０００は、発光シート５１０Ａと、この発光シート５１０Ａを内部に収容する発光シート格納部５３０とを有している。この発光シート格納部５３０は、箱型の形状を有し、天面には、発光シート５１０Ａを外部に引き出す細長の開口部５３１が設けられている。また、開口部５３１の両側の縁部には発光シート５１０Ａに設けられる受電電極に接するプラス側の供電電極５５０およびマイナス側の供電電極５７０が配置されている。
【００７７】
なお、発光シート格納部５３０のいずれかの側面には、発光シート５１０Ａの点灯をＯＮ／ＯＦＦするためのスイッチ、および、発光シート５１０Ａの収容口が設けられているが、ここでの図示は省略する。また、本実施の形態における供電電極５５０および供電電極５７０は、実施の形態１における供電電極１５０および供電電極１７０と同じである（図３参照）。さらに、本実施の形態における発光シート５１０Ａは、実施の形態１〜３に示した発光シート１１０Ａ〜３１０Ａの採用が可能であるため、ここでの説明は省略する。
【００７８】
図２７を参照して、本実施の形態において、発光シート５１０Ａは、発光シート格納部５３０の中において、回転軸５９０の周りに巻回されている。また、回転軸５９０の一旦は、発光シート格納部５３０から外方に露出し、使用者が回転軸５９０を回転させることが可能になっている。したがって、この回転軸５９０の露出部は、ハンドルの機能を有し、発光シート格納部５３０の送り出し量を容易に調節することを可能としている。
【００７９】
（作用・効果）
本実施の形態における照明装置５０００によれば、実施の形態１から３に示す照明装置と同様の作用効果が得られるとともに、発光シート５１０Ａの引き出し量を容易に調節することが可能である。なお、図２６に示す回転軸５９０は手動操作によるものとしているが、回転軸５９０にモータを連結し、このモータの回転をリモコン操作により制御することで、照明装置５０００から離れた位置においても、発光シート５１０Ａの引き出し量を調節することが可能である。
【００８０】
また、照明装置として用いない場合には、発光シート５１０Ａを容易に巻き戻すことができるため、発光シート５１０Ａを保護することも可能となる。
【００８１】
また、照明装置５０００の他の形態の照明装置５１００を図２８に示す。この照明装置５１００では、発光シート格納部５３０の上に、発光シート５１０Ａを保持するガイド５９５を設けている。このガイド５９５は、支柱５９５ａと、発光シート５１０Ａを湾曲状に保持する湾曲支持面５９５ｂとを有している。
【００８２】
また、発光シート格納部５３０の天面には、搬出用開口部５３１ａと回収用開口部５３１ｂとが設けられ、さらに、発光シート格納部５３０の内部には、搬出用回転軸５９０ａと回収用回転軸５９０ｂとが設けられている。
【００８３】
この照明装置５１００によれば、発光シート５１０Ａをドーム形状にすることが可能となり、デザイン性の向上をさらに図ることが可能となる。
【００８４】
また、図２９に、照明装置５１００の他の形態の照明装置５２００を示す。この照明装置５２００では、発光シート格納部を、発光シート格納部５３０Ａと発光シート格納部５３０Ｂとに分け、壁面３に照明装置５２００を固定したものである。なお、図２２に示したように天井に固定することも可能である。
【００８５】
発光シート格納部５３０Ａに搬出用開口部５３１ａと搬出用回転軸５９０ａが設けられ、発光シート格納部５３０Ｂに回収用開口部５３１ｂと回収用回転軸５９０ｂとが設けられている。
【００８６】
この照明装置５２００によっても、上記照明装置５１００と同様の作用効果が得られるとともに、デザイン性の向上を図ることができる。
【００８７】
（実施の形態６：照明装置６０００Ａ，６０００Ｂ）
次に、図３０から図３３を参照して、本実施の形態における照明装置６０００Ａ，６０００Ｂについて説明する。なお、図３０は、照明装置６０００Ａの外観を示す斜視図、図３１は、照明装置６０００Ａの制御フローを示すブロック図、図３２は、照明装置６０００Ｂの他の外観を示す斜視図、図３３は、照明装置６０００Ｂの他の制御フローを示すブロック図である。
【００８８】
本実施の形態において、照明装置本体は、上記実施の形態１から５のすべてを用いることができる。ここでは、一例として、実施の形態１の照明装置１０００を用いた場合について説明する。なお、照明装置１０００と同一または相当箇所については同一の参照番号を付し、重複する説明は行なわない。
【００８９】
図３０を参照して、本実施の形態における照明装置６０００Ａは、照明装置１０００に対して、照度センサ６０１および警告ランプ６０３が付加されている。照度センサ６０１は、発光シート１１０Ａの発光照度を、常時または定期的に測定するように、内部に設けられた制御部６２１で制御されている。
【００９０】
制御の一例を図３１に示す。照度センサ６０１により、発光シート１１０Ａの照度（ルクス（Ｌ））を測定する（ステップ１１０）。発光シート１１０Ａの照度がたとえば５０ルクス未満であるかどうかを、制御部６２１において判別する（ステップ１２０）。
【００９１】
発光シート１１０Ａの照度が５０ルクス未満の場合（Ｙｅｓの場合）、制御部６２１における発光シート１１０Ａの発光シート交換通知機能がＯＮ状態となる（ステップ１４０）。発光シート交換通知機能がＯＮ状態となることで、制御部６２１の制御により警告ランプ６０３が点灯する（ステップ１５０）。その後、ステップ１１０に戻りステップ１２０が実行される。
【００９２】
ステップ１２０において、発光シート１１０Ａの照度が５０ルクス以上の場合（Ｎｏの場合）には、制御部６２１における発光シート１１０Ａの発光シート交換通知機能がＯＦＦ状態となる（ステップ１３０）。これにより、制御部６２１の制御により警告ランプ６０３が消灯する。
【００９３】
これにより、発光シート１１０Ａの交換時期を適切にかつ客観的に知ることが可能となる。
【００９４】
次に、図３２を参照して、本実施の形態の他の照明装置６０００Ｂは、照明装置１０００に対して、照度センサ６０１およびメール送信機能６０４が付加されている。照度センサ６０１は、発光シート１１０Ａの発光照度を、常時または定期的に測定するように、内部に設けられた制御部６２１で制御されている。
【００９５】
制御の一例を図３３に示す。照度センサ６０１により、発光シート１１０Ａの照度（ルクス（Ｌ））を測定する（ステップ２１０）。発光シート１１０Ａの照度がたとえば５０ルクス未満であるかどうかを、制御部６２１において判別する（ステップ２２０）。
【００９６】
発光シート１１０Ａの照度が５０ルクス未満の場合（Ｙｅｓの場合）、制御部６２１における発光シート１１０Ａの発光シート交換通知機能がＯＮ状態となる（ステップ２４０）。発光シート交換通知機能がＯＮ状態となることで、制御部６２１の制御によりメール送信機能６０４を用いて、予め設定されたメール受信装置６０５（たとえば、携帯電話等）に警報メールが送信される（ステップ２５０）。その後、発光シート交換通知機能がＯＦＦ状態となる（ステップ２３０）。
【００９７】
一方、ステップ２２０において、発光シート１１０Ａの照度が５０ルクス以上の場合（Ｎｏの場合）には、発光シート交換通知機能がＯＦＦ状態となる（ステップ２３０）。
【００９８】
この照明装置６０００Ｂにおいても、照明装置６０００Ａと同様に、発光シート１１０Ａの交換時期を適切にかつ客観的に知ることが可能となる。
【００９９】
（実施の形態７：照明装置７０００Ａ，７０００Ｂ）
次に、図３４および図３５を参照して、本実施の形態における照明装置７０００Ａ，７０００Ｂについて説明する。なお、図３４は、照明装置７０００Ａの内部構造を示す断面図、図３５は、照明装置７０００Ｂの内部構造を示す断面図である。
【０１００】
本実施の形態において、照明装置本体は、上記実施の形態１の図１５を用いて説明した構成を用いることができる。よって、図１５に示した、実施の形態１の照明装置１０００を用いた場合について説明する。なお、照明装置１０００と同一または相当箇所については同一の参照番号を付し、重複する説明は行なわない。また、発光シート１１０Ａの収納形態は、図１２示す発光シート１１０Ａを蛇腹状に折り畳んで収納する形態、図１３に示す発光シート１１０Ａをロール状に巻回されて収納する形態の採用も可能である。
【０１０１】
図３４を参照して、本実施の形態における照明装置７０００Ａは、照明装置１０００に対して、距離センサ７０１および残量カウンタ７０３が付加されている。距離センサ７０１では、発光シート格納部１３０の内部に収容された発光シート１１０Ａまでの距離（Ｄ１）を測定し、測定情報を制御部７２１に出力する。制御部７２１は、距離（Ｄ１）に基づき、発光シート１１０Ａの残量を計算し、残量カウンタ７０３に発光シート１１０Ａの残量を表示する。
【０１０２】
これにより、照明装置７０００Ａにおいては、発光シート格納部１３０を開けることなく、発光シート１１０Ａの残量を知ることができるため、たとえば、天井、壁面の高い位置に、聡明装置が設置されている場合であっても、適切な時期に、発光シート１１０Ａの交換、補充を行なうことが可能となる。
【０１０３】
次に、図３５を参照して、本実施の形態の他の照明装置７０００Ｂは、照明装置１０００に対して、質量センサ７０５および残量カウンタ７０３が付加されている。質量センサ７０５では、発光シート格納部１３０の内部に収容された発光シート１１０Ａの残量質量を測定し、測定情報を制御部７２１に出力する。制御部７２１は、残量質量に基づき、発光シート１１０Ａの残量を計算し、残量カウンタ７０３に発光シート１１０Ａの残量を表示する。
【０１０４】
これにより、照明装置７０００Ａと同様に、照明装置７０００Ｂにおいても、発光シート格納部１３０を開けることなく、発光シート１１０Ａの残量を知ることができるため、たとえば、天井、壁面の高い位置に、聡明装置が設置されている場合であっても、適切な時期に、発光シート１１０Ａの交換、補充を行なうことが可能となる。
【０１０５】
以上、本発明の各実施の形態について説明したが、今回開示された実施の形態は全ての点で例示であって制限的なものではないと考えられるべきである。したがって、本発明の範囲は特許請求の範囲によって示され、特許請求の範囲と均等の意味および範囲内での全ての変更が含まれることが意図される。
【符号の説明】
【０１０６】
１  天井、３  壁面、１００，１１０Ａ，２１０Ａ，３１０Ａ，４１０Ａ，５１０Ａ  発光シート、１００ａ  主面、１０１  発光層、１０２  導電体、１０３，１０４，１５１，１７１  電極、１０５  透明導電体、１０５ａ，１１１ａ，１１１ｂ，１１１ｃ，１１１ｄ，１１１ｅ，２１１ａ，２１１ｂ，２１１ｃ，２１１ｄ，２１１ｅ  発光面、１０６  透明基板、１０７  絶縁層、１１０Ｘ  先端部、１１０Ｙ  後端部、１１３，２１３ａ，２１３ｂ，２１３ｃ，２１３ｄ，２１３ｅ，３１３ａ，３１３ｂ，３１３ｃ，３１３ｄ，３１３ｅ  第１受電電極、１１５ａ，１１５ｂ，１１５ｃ，１１５ｄ，１１５ｅ，２１５ａ，２１５ｂ，２１５ｃ，２１５ｄ，２１５ｅ，３１５ａ，３１５ｂ，３１５ｃ，３１５ｄ，３１５ｅ  第２受電電極、１１７ａ，１１７ｂ，１１７ｃ，１１７ｄ  ダイオード、１２１  絶縁体領域、１２３  ミシン目、１２５  プレート、１２７  ばね、１３０，２３０，３３０，４３０，５３０，５３０Ａ，５３０Ｂ  発光シート格納部、１３１，２３１，３３１，４３１，５３１  開口部、１５０  供電電極、１５３，１７３  弾性部材、１７０，２５０，２７０，３５０，３７０，４５０，４７０，５５０，５７０  供電電極、１９０  カッタ、３１７ａ，３１７ｂ，３１７ｃ，３１７ｄ，３１７ｅ  スイッチング素子、４９０  クリップ、５３１ａ  搬出用開口部、５３１ｂ  回収用開口部、５９０  回転軸、５９０ａ  搬出用回転軸、５９０ｂ  回収用回転軸、５９５  ガイド、５９５ａ  支柱、５９５ｂ  湾曲支持面、６０１  照度センサ、６０３  警告ランプ、６０４  メール送信機能、６０５  メール受信装置、６２１，７２１  制御部、７０１  距離センサ、７０３  残量カウンタ、７０５  質量センサ、１０００，２０００，３０００，４０００，５０００，５１００，５２００，６０００Ａ，６０００Ｂ，７０００Ａ，７０００Ｂ  照明装置。
【図１】
2012099262.tif 000003
【図２】
2012099262.tif 000004
【図３】
2012099262.tif 000005
【図４】
2012099262.tif 000006
【図５】
2012099262.tif 000007
【図６】
2012099262.tif 000008
【図７】
2012099262.tif 000009
【図８】
2012099262.tif 000010
【図９】
2012099262.tif 000011
【図１０】
2012099262.tif 000012
【図１１】
2012099262.tif 000013
【図１２】
2012099262.tif 000014
【図１３】
2012099262.tif 000015
【図１４】
2012099262.tif 000016
【図１５】
2012099262.tif 000017
【図１６】
2012099262.tif 000018
【図１７】
2012099262.tif 000019
【図１８】
2012099262.tif 000020
【図１９】
2012099262.tif 000021
【図２０】
2012099262.tif 000022
【図２１】
2012099262.tif 000023
【図２２】
2012099262.tif 000024
【図２３】
2012099262.tif 000025
【図２４】
2012099262.tif 000026
【図２５】
2012099262.tif 000027
【図２６】
2012099262.tif 000028
【図２７】
2012099262.tif 000029
【図２８】
2012099262.tif 000030
【図２９】
2012099262.tif 000031
【図３０】
2012099262.tif 000032
【図３１】
2012099262.tif 000033
【図３２】
2012099262.tif 000034
【図３３】
2012099262.tif 000035
【図３４】
2012099262.tif 000036
【図３５】
2012099262.tif 000037